(57)【要約】【課題】昼間においては通常の案内標識として違和感を覚えることがなく認識され、夜間暗所や停電時などにおいても視認が容易になされることで案内機能が確実に発揮され、災害時などの避難誘導にも有効に利用される案内標識を提供する。【解決手段】面状の基材２と、基材２面上に配置固定される背景用再帰反射シート３と、背景用再帰反射シート３面上に一部が露呈するように配置固定される表示用再帰反射シート４と、背景用再帰反射シート３の露呈する部分の表面または表示用再帰反射シート４の表面に、透明樹脂材に蓄光材が配合された蓄光材含有樹脂体からなる多数の不連続形態を粘着転写印刷により配置固定される蓄光材含有樹脂体と、により構成されることを特徴とする案内標識。【選択図】図１
2008165203.tif 000002
【特許請求の範囲】
【請求項１】
面状の基材と、前記基材面上に配置固定される背景用再帰反射シートと、前記背景用再帰反射シート面上に一部が露呈するように配置固定される表示用再帰反射シートと、前記背景用再帰反射シートの露呈する部分の表面または前記表示用再帰反射シートの表面に、透明樹脂材に蓄光材が配合された蓄光材含有樹脂体からなる多数の不連続形態を粘着転写印刷により配置固定される蓄光材含有樹脂体と、により構成されることを特徴とする案内標識。
【請求項２】
前記蓄光材含有樹脂体が、白色の背景用再帰反射シート面上または白色の表示用再帰反射シート面上に配置固定されることを特徴とする請求項１記載の案内標識。
【発明の詳細な説明】
【技術分野】
【０００１】この発明は、道路の規制標識、案内標識、警戒標識、指示標識などの道路標識、災害時の誘導標識や津波標識などの注意喚起標識、河川の水位標識、工事標識などに使用される案内標識に関するものである。
【背景技術】
【０００２】従来から、例えば走行道路の側位置に設置されている案内標識は、一般的には道路側位置に立設された支柱の上部に金属板などが基材として取り付けられ、該基材の表面を標識面にして再帰反射機能を持つ反射シートが貼付されると共に、該再帰反射シートの表面に文字、記号、図柄等の表示部が印刷などによって施されたり、これら表示部とその背景となる背景部とを、適宜色の異なる再帰反射シートからそれぞれ切り出して組合せ、該基材に貼り合わせるなどの方法により作成されている。この案内標識は昼間においては外光により、また夜間においては照明具の光により再帰反射シートを明るく輝かせることにより表示され、車両の運転者に明瞭に視認させるようになされている。【０００３】しかしながら、これら再帰反射シートを用いた表示装置は、夜間においては当然のことながら、光源よりの光を受けた時のみ光を再帰反射し、光源方向に対して優れた視認性を発揮するものであるが、視認する場所が光源方向と大きく離れている場合はその視認性が著しく劣り、従って光源を有しない歩行者からは視認し難く、また車両がこれら標識に接近し過ぎたときにも、運転者が標識を見るときの観測角が大きくなって、その視認性は著しく低下するなど、ごく限られた条件下でしかその優れた視認性が得られないものであった。【０００４】このため、より高い安全性が求められるようになってきた近年においては、再帰反射性能しか有しない従来型の再帰反射型の案内標識ではその視認性が不十分であり、特に夜間や災害時などにおいて、光源がなかったり限定されていたりする場合においても視認が容易になされ、案内機能が確実に発揮される案内標識が強く望まれるようになってきた。【０００５】このような案内標識の視認性向上の試みとして、電気的に発光する発光ダイオードや蛍光灯などの発光体を取り付け、その発光体により標識面を照らして夜間の視認性を高めたものもあるが、構造が複雑であり、且つメンテナンスも複雑であった。更に蛍光灯を使用したものは多くが商用電源を使用しているため、この道路標識が避難誘導を表示する道路標識板として用いられると、災害時に停電が起こった場合、その視認性が著しく低下し、避難時の誘導が行えない恐れがある。【０００６】このため、表面に再帰反射性能を有する反射面に蓄光材による多数の蓄光面が規則正しく散在された標識シートを標識面に貼付し、反射面と蓄光面とで、光が照射されているときも、光があたっていないときも標識シート全体を明るく輝かせる道路標識が提案されている（例えば、特許文献１）。【０００７】また、再帰反射性を有する反射面に蓄光材料による多数の蓄光発光部を有するシートにおいて、凸状の蓄光発光部を互いに接触しないように独立させて設けることにより、塵やほこり、雨水などの水分が基材反射面の一箇所に留まらないようにした、汚れ防止を考慮した安全確保用シートが提案されている（例えば、特許文献２）。【０００８】さらに、反射シートをベースとして該反射シート上に、蓄光性フィルムと反射性フィルムとを交互に積層させることにより、緊急時に必要な表示を暗闇でも視認性良好に行いうる案内標識シートの提案がなされている（例えば、特許文献３）。【０００９】
【特許文献１】特開平９−７１９１１号公報
【特許文献２】特開２００１−９２３９３号公報
【特許文献３】実用新案登録第３１２１０７０号
【発明の開示】
【発明が解決しようとする課題】
【００１０】しかしながら、上述した特許文献１の提案のように、再帰反射性を有する反射面に蓄光材による多数の蓄光面が規則正しく散在された標識シートは光が照射されているときも光が当たっていないときも標識シート全体が明るく輝くため夜間暗所での視認性に優れるものの、蓄光材含有樹脂等による多数の不透光な蓄光面の存在が識別されるため、再帰反射シートを用いた通常の案内標識と比較して、昼間の見た目において色調に差が生じ、案内標識として違和感を覚えるなどの問題がある。【００１１】また、蓄光材含有樹脂体を形成する方法として、蓄光材含有塗料を反射面にシルクスクリーンなどを用いて印刷塗布する方法が開示されているが、再帰反射シート上に蓄光材含有塗料を直接印刷する場合などにおいて、再帰反射シートを構成する材料に耐熱温度の制約がある場合には、蓄光材含有塗料に用いられている樹脂を熱硬化させるに必要な温度が得られない場合がある。さらに、上記のように再帰反射シート上へ直接印刷塗布する方法においては、印刷不良などによる不良品発生を伴う恐れがあり、高価な再帰反射シート材をロスする場合がある。【００１２】また、特許文献２の提案のように、多数の蓄光発光部を互いに接触しないように独立させて設けることで、塵やほこり、雨水などが基材反射面の一箇所に留まらないようにした汚れにくい視線誘導シートが得られること、さらに蓄光発光部の一部が剥離などの損傷をしても損傷の広がりを防止できるシートが得られることなどの効果があるものの、蓄光材含有樹脂などによる多数の不透光な蓄光面の存在が識別されるため、再帰反射シートを用いた通常の案内標識と比較して、昼間の見た目において色調に差が生じ、案内標識としては、なお、違和感を覚えるなどの問題がある。【００１３】また、蓄光材含有樹脂体を形成する方法として、蓄光材をＵＶ硬化樹脂などの樹脂と混練した蓄光インクを用いる方法が開示されている。ＵＶ硬化樹脂を使用する場合には、比較的低い温度で樹脂の硬化が可能となることから、再帰反射シートを構成する材料などに耐熱温度の制約がある場合においても、再帰反射シート上に蓄光材含有樹脂体を良好に形成することが可能となるものの、ＵＶ照射設備や乾燥設備などの特別な設備が必要となる場合があるなど、印刷コストを増大させる問題がある。【００１４】また、特許文献３の提案のように、反射シートをベースとして該反射シート上に蓄光性フィルムと反射性フィルムとを交互に積層させることで、緊急時に必要な表示を暗闇でも良好に視認できるという効果があるものの、夜間における光が照射されている場合の見え方においては、蓄光性フィルムを接合した部位が発光せず、再帰反射シートを使用した通常の標識と比較して、その見え方が異なるという問題がある。さらに、反射シート上に、蓄光性フィルムを用いて多数の蓄光部位を不連続形態に付加させる場合などにおいては、工程が煩雑になるほか蓄光性フィルムのロスが伴うなどの問題を有している。【００１５】上記したように、再帰反射性を有する反射面に蓄光材による多数の蓄光発光部を付加した案内標識の提案がなされており、光が照射されているときも光が当たっていないときも標識シート全体が明るく輝くため夜間暗所での視認性に優れるものの、蓄光材含有樹脂等による多数の不透光な蓄光面の存在が識別されるため、再帰反射シートを用いた通常の案内標識と比較して、昼間の見た目において色調に差が生じ、また夜間に光が照射されている場合の見え方にも差が生じ、案内標識として違和感を覚えるなどの問題がある。【００１６】また、再帰反射シートを用いた反射面上に蓄光材含有樹脂体を形成する方法として蓄光材含有塗料を直接印刷する場合などにおいて、再帰反射シートを構成する材料の耐熱温度の制約がある場合には、比較的低い温度で硬化するＵＶ樹脂などの使用が可能であるものの、樹脂を硬化させるに必要なＵＶ照射設備や乾燥設備など特別な設備が必要となる場合があり、印刷コストを増大させるなどの問題がある。さらに、上記再帰反射シート上への直接印刷においては、印刷不良などによる不良品発生を伴う場合があり、高価な再帰反射シート材をロスさせる場合がある。【００１７】本発明は、上記の事情に鑑みて行ったものであり、昼間においては通常の案内標識として見え方に違和感を覚えることがなく、また、夜間の光源がある場合においても同様に通常の案内標識として違和感を覚えることがなく認識され、さらに、夜間暗所や停電時などにおいても視認が容易になされることで案内機能が確実に発揮される案内標識を提供することを目的とする。さらには、災害時などの避難誘導にも有効に利用される案内標識を提供することを目的とする。
【課題を解決するための手段】
【００１８】本発明の案内標識は、請求項１の発明では、面状の基材と、前記基材面上に配置固定される背景用再帰反射シートと、前記背景用再帰反射シート面上に一部が露呈するように配置固定される表示用再帰反射シートと、前記背景用再帰反射シートの露呈する部分の表面または前記表示用再帰反射シートの表面に、透明樹脂材に蓄光材が配合された蓄光材含有樹脂体からなる多数の不連続形態を粘着転写印刷により配置固定される蓄光材含有樹脂体と、により構成されることを特徴とする。【００１９】さらに、請求項２の発明では、前記蓄光材含有樹脂体が、白色の背景用再帰反射シート面上または白色の表示用再帰反射シート面上に配置固定されることを特徴とする請求項１記載の案内標識である。
【発明の効果】
【００２０】この発明によれば、車両の運転者などは昼間においては違和感を覚えることなく通常の案内標識として認識し、夜間や停電時などの暗所においては遠くから視認でき、また、災害時などにおいて広域に停電が発生した場合においては車両の運転を安全とし、歩行による避難行動の際の避難誘導の目安として有効に機能する案内標識の提供が可能となる。
【発明を実施するための最良の形態】
【００２１】本発明を実施するための最良の形態について、以下図に基づいて詳細に説明するが、本発明はかかる実施形態に限定されるものではない。【００２２】（実施形態１）
図１乃至図４は実施形態１を示す。【００２３】図１および図２において、案内標識１は、アルミ製の面状の基材２と、その基材２の全面にわたって貼付される背景用再帰反射シート３と、背景用再帰反射シート３面上に一部が露呈するように貼付される複数の表示用再帰反射シート４と、背景用再帰反射シート３の表示用再帰反射シート４が貼られずに露呈する部分上の全面にわたって配置固定される蓄光材含有樹脂体５とから構成される。なお、蓄光材含有樹脂体５は多数の半透明な不連続形態であって、図１においては現れていない。【００２４】上記背景用再帰反射シート３、表示用再帰反射シート４としては汎用される再帰反射機能を持つものが用いられ、再帰反射要素は特に限定されるものではなく、例えば、ガラスビーズなどの微小球レンズと金属膜光反射層からなるレンズ型再帰反射要素、相対する面が互いに略９０度の角度で向かい合うように配置されているキューブコーナー型再帰反射要素などが用いられる。また、レンズ型再帰反射要素にも、例えば、オープンレンズ型再帰反射要素、カプセルレンズ型再帰反射要素、封入レンズ型再帰反射要素などがあり、さらにキューブコーナー型再帰反射要素にも、例えば、カプセルキューブコーナー型再帰反射要素、金属蒸着キューブコーナー型再帰反射要素などがある。【００２５】本発明において用いる再帰反射要素としては、カプセルレンズ型再帰反射要素、封入レンズ型再帰反射要素及びカプセルキューブコーナー型再帰反射要素を用いるのが好ましく、さらに再帰反射性能の観点から、カプセルレンズ型再帰反射要素及びカプセルキューブコーナー型再帰反射要素を使用するのが好ましい。【００２６】蓄光材含有樹脂体の形状は、特に限定されるものではなく、円形、楕円形、多角形などにすることができる。また、蓄光材含有樹脂体の端部に埃が付着したり端部が剥離し易いなどの問題を防止するため、蓄光材含有樹脂体の断面形状は上面に比し底面の面積を大きくすることが好ましい。また、蓄光材含有樹脂体の厚みは、５０〜１０００μｍが好ましく、１００〜５００μｍがより好ましい。【００２７】また、反射面に対する蓄光面の面積割合は特に限定されるものではなく、反射面による反射と蓄光面の発光とによるそれぞれの明るさを勘案して決めればよく、蓄光面の割合が低いと光の照射によって明るく輝くものの、光が当たらないときはあまり輝かず、逆に蓄光面の割合が高いと、光が当たらないときは明るく輝くものの、光を照射したときは、あまり輝かない。一般には反射面に対する蓄光材含有樹脂体の締める面積割合は２０〜５０％程度となされ、本実施形態１では約３０％となされている。【００２８】この実施形態１では背景用再帰反射シート３が白色を、表示用再帰反射シート４が青色を呈するものを使用するが、緑色など他の色を使用してもよい。表示用再帰反射シート４のそれぞれは適宜の形態を備え、この案内標識１に表示機能を持たせる。なお、本発明からなる案内標識は、蓄光材含有樹脂体を背景用再帰反射シートの露呈する部分の表面または表示用再帰反射シートの表面に配置固定することで蓄光発光性能を発揮することができるが、蓄光材含有樹脂体が配置固定される再帰反射シートとしては白色再帰反射シー��を使用することでより高性能な蓄光発光性能が得られる。【００２９】本発明に用いる蓄光剤含有樹脂体５は、透明で高耐候性を有する樹脂に蓄光材が配合された蓄光インクの層よりなり、例えば直径４〜８ｍｍφ、厚さ１００〜５００μｍの円形状のものが６〜１０ｍｍ間隔に背景用再帰反射シート３面上に多数ドット状などの不連続形態に配置固定される。不連続形態に配置固定することで、蓄光剤含有樹脂体端部に剥離などの不具合が生じた場合でも不具合の進行を防止することができる。なお、蓄光材が透明樹脂材料に配合されることで上記蓄光インクはある程度白濁するが、光透過が可能な透明性は維持され、したがって配置固定された蓄光材含有樹脂体５も透明性を保つ。【００３０】上記蓄光材含有樹脂体の透明性が維持されていることを確認する目的で、透明なアクリル樹脂と蓄光材とが同一重量で配合された蓄光インクを用い、厚さ１００μｍの透明ポリエステルフィルム上に、直径５ｍｍφ、厚さ２００μｍの円形状の蓄光インクの層を８．２ｍｍ間隔で多数ドット状に配置固定されたシートを作成し、該シートの透光率をＪＩＳ−Ｚ８７２２に従って測定した結果、透光率は８５．２％であった。上記蓄光材含有樹脂体５の蓄光インクの層が光の透過を完全に阻害するとした場合には、蓄光インクの層の占める面積割合が約２９．２％であることから、透光率は約７０．８％程度と推測されるので、本発明に使用される蓄光材含有樹脂体が透明性を有していることがわかる。【００３１】蓄光剤含有樹脂体を構成する透明樹脂材料としては、特に限定されるものではなく、一般に用いられる合成樹脂を使用すればよく、例えば、ポリ塩化ビニル樹脂、アクリル樹脂、ウレタン樹脂、ポリエステル樹脂などの合成樹脂が好ましい。なお、合成樹脂によっては耐候性に優れず使用中に黄変などの着色を生じる場合があるが、合成樹脂の着色により蓄光材の発光輝度が阻害される場合があるので、本発明においては、耐候性に優れ変色しにくいポリ塩化ビニル樹脂またはアクリル系樹脂が好適に用いられる。【００３２】前記蓄光材とは、太陽光や蛍光灯などの光のエネルギーを吸収して、光源を取り除いた後、暗所で光を徐々に放出して発光する蛍光材料のことであり、透明樹脂材料に配合される蓄光材としては特に制限はなく、従来から使用されている公知のものの中から、任意のものを適宜選択して用いることができる。このような蓄光材としては、硫化物系蓄光材である例えばＺｎＳ：Ｃｕ（緑色発光），ＣａＳｒＳ：Ｂｉ（青色発光）などを用いることができる。また、アルミン酸塩系蓄光材として例えばＣａＡｌ２Ｏ４：Ｅｕ，Ｎｄ（黄緑発光），ＳｒＡｌ２Ｏ４：Ｅｕ，Ｄｙ（黄緑発光），Ｓｒ４Ａｌ１４Ｏ２５：Ｅｕ，Ｄｙ（青緑発光）なども用いることができる。アルミン酸塩系蓄光材は硫化物系蓄光材に比べて残光輝度が高くかつ残光時間が長いことなど優れた残光特性を有しているほか、屋外耐候性にも優れていることから、アルミン酸塩系蓄光材を使用することが好ましい。【００３３】上記蓄光材含有樹脂体５の背景用再帰反射シート３上への配置固定は、次に説明するように、図３に示す転写シート１０を使用することで行われる。【００３４】転写シート１０は、離型シート１１とその���型シート１１上に粘着剤層１３を介して配置される蓄光材含有樹脂体５と、その上面の全面を覆うように装着されるカバーフィルム１５とよりなる。上記粘着剤層１３、蓄光材含有樹脂体５は、順次離型シート１１上に印刷形成される。この転写シート１０が露呈する背景用再帰反射シート３の形態に沿うようにカットされ、離型シート１１が剥がされて背景用再帰反射シート３上に粘着剤層１３により貼付され、さらに、カバーフィルム１５が取り外されることで、多数の蓄光材含有樹脂体５が背景用再帰反射シート３上のドット状に配置固定される。【００３５】上記のように、背景用再帰反射シート３、表示用再帰反射シート４、さらに、蓄光材含有樹脂体５の付された転写シートを用いることで、製造に際して手間のかかる印刷工程を必要とすること無く案内標識１を作製することができる。【００３６】図３に示す転写シート１０の参考例として、厚さ１００μｍの透明ポリエステルフィルムからなる離型シート上に、粘着剤層１３をスクリーン印刷し乾燥した後、この上に、アクリル系樹脂とアルミン酸塩系蓄光材とが同一重量で配合された蓄光材含有樹脂を用いて厚さが２００μｍになるように重ね塗りをし、直径５ｍｍ、ピッチ８．２ｍｍ間隔の多数の円形状蓄光材含有樹脂体５がドット状に配置固定された転写シートを作成した。得られた転写シートを用い、カプセルレンズ型再帰反射シート（住友スリーエム社製反射シート、３９３０ＨＩＰ、白色）及びキューブコーナー型再帰反射シート（住友スリーエム社製反射シート、４０９０ＤＧ３、白色）にそれぞれ蓄光インクの層を粘着転写印刷した。転写印刷で得られた再帰反射シートの再帰反射性能を、ＪＩＳ−Ｚ９１１７に準拠して測定した結果を表１に示す。また、同様に、転写印刷で得られたそれぞれの再帰反射シートの残光輝度性能（蓄光発光性能）を、ＪＩＳ−Ｚ９１０７に準拠して測定した結果を表２に示す。【００３７】
【表１】
2008165203.tif 000003
【００３８】表１に示すように、本発明からなる表示構造体は、通常の案内標識などに使用される再帰反射性能に近い良好な性能を有していることがわかる。【００３９】
【表２】
2008165203.tif 000004
【００４０】表２に示すように、本発明からなる表示構造体は、暗所においても良好に視認できる残光輝度性能を有していることがわかる。【００４１】本発明において好適に用いられるカプセルレンズ型再帰反射シート、封入レンズ型再帰反射シート及びカプセルキューブコーナー型再帰反射シートにおいて使用される樹脂の耐熱温度は一般に低いため、上記再帰反射シート上に蓄光材含有樹脂体を直接印刷しても樹脂によっては硬化に必要な温度が得られない場合がある。このような対応として、比較的低い温度で硬化させることが可能なＵＶ硬化樹脂を用いる場合があるが、ＵＶ照射設備や乾燥設備などの特別な設備が必要となるなどの問題がある。蓄光材含有樹脂体５の付された転写シートを用いた粘着転写印刷を施すことで、容易に案内標識１を作製することができる。なお、得られた案内標識１が塵や埃、車両からの排気ガス、雨水や結露水などの付着による汚れを防ぐ目的として、案内標識１の背景部や表示部の表面を透明な樹脂などでコーティングしてもよい。【００４２】被印刷面である上記再帰反射シート上への直接印刷においては、印刷不良などによる不良品発生を伴う場合があるが、このような場合、高価な再帰反射シート材もロスする恐れがある。蓄光材含有樹脂体５の付された転写シートを用いることで、印刷不良などによるロスを排除することができる。【００４３】以下、上記案内標識１の使用状態を説明する。昼間においては外光が当たることで案内標識１は白色の背景用再帰反射シート３よりなる背景上に青色の表示用再帰反射シート４よりなる表示模様を呈する。その際、背景用再帰反射シート３上には多数の蓄光材含有樹脂体５がドット状に存在するが、それらは透明性を有するので光を透過させ、さらに、それらがドット状に多数の不連続形態として配置されていることで表示用再帰反射シート４からの反射光は十分に前方に至り、したがって表示模様は殆んど損なわれることはない。【００４４】夜間において、案内標識１近傍の照明具の光により照らされる場合は、上記の昼間とほぼ同様にして白色の背景用再帰反射シート３よりなる背景上に青色の表示用再帰反射シート４よりなる表示模様を呈する。これに対し、夜間停電時など暗い所では背景用再帰反射シート３、表示用再帰反射シート４の反射光はともに無くなるが、ドット状に配置固定された蓄光材含有樹脂体５部分が発光することで背景用再帰反射シート３のエリアは全体が発光する状態となり、したがって、図４に示すように、表示用再帰反射シート４の表示模様が相対的に黒抜き模様として表示される。これにより、車両の運転者や歩行者は遠くからこれを視認できる。車両が案内標識１に接近してそのライトが照射されると、昼間とほぼ同様な状態において案内標識１はさらに明瞭に視認される。これにより、スムーズで、かつ、安全な車両の運行が可能となる。【００４５】また、災害時などにおいて広域に停電が発生した場合は、周囲が真っ暗となって歩行による避難行動も非常に危険をともない、また、不安なものとなるが、そのような際にも、この案内標識１が視認できることで避難誘導が安全に行える。【００４６】（実施形態２）
図５および図６は実施形態２を示し、実施形態１と異なる点は、案内標識１の背景用再帰反射シート３として青色のものを、表示用再帰反射シート４として白色のものを用い、蓄光材含有樹脂体５を表示用再帰反射シート４上にドット状に配置固定されている。したがって、夜間停電時などには蓄光材含有樹脂体５が発光することで表示用再帰反射シート４それぞれのエリアが発光する状態となり、図６に示すように、背景用再帰反射シート３上に表示用再帰反射シート４の表示模様が相対的に白抜き模様として表示される。
【産業上の利用可能性】
【００４７】この発明は、上記技術分野に示した道路標識、注意喚起標識、水位標識、工事標識などに使用される案内標識のほか、消火栓や消火器の表示標識、建物出入口の表示標識、公共建物や地下街の誘導標識などにも有効に利用可能である。
【図面の簡単な説明】
【００４８】
【図１】本発明の第１の実施形態を示す平面図である。
【図２】同上の拡大断面図である。
【図３】同上の案内標識を作製する際に使用する転写シートの拡大断面図である。
【図４】実施形態１の表示例の説明図である。
【図５】本発明の第２の実施形態を示す拡大断面図である。
【図６】同上の平面図である。
【符号の説明】
【００４９】１  案内標識
２  基材
３  背景用再帰反射シート
４  表示用再帰反射シート
５  蓄光材含有樹脂体
１０  転写シート
１１  離型シート
１３  粘着剤層
１５  カバーフィルム
【図１】
2008165203.tif 000005
【図２】
2008165203.tif 000006
【図３】
2008165203.tif 000007
【図４】
2008165203.tif 000008
【図５】
2008165203.tif 000009
【図６】
2008165203.tif 000010